(57)【要約】      （修正有）【課題】お茶等を煮沸抽出した後冷蔵庫などで冷却する際、粗熱をとり常温近くまでお茶の温度を下げてからおこなう。多く見られる方法は当該の薬缶を、水を張った桶に浸漬したのち薬缶に水道水をかけ流す方法が一般的である。水道水を薬缶の側壁に直接滴らす際滴らすのは一点に対してであり、効果は限定的であった。【解決手段】当該の薬缶の肩の部分に乗せることができるパイプ等でできたドーナッツ状の麦茶冷却器１を提案する。麦茶冷却器１には冷却水を取り込むための冷却水入口２と、冷却水を薬缶側壁に散水するための冷却水出口３が複数設けられていて、麦茶等を煮沸抽出したあと高温状態にある薬缶の肩部分に乗せ、水道水等の冷却水を冷却水入口２から注ぎ、冷却水出口３から薬缶側壁に散水することで効率的に冷却する。【選択図】図１
2014210068.tif 000002
【特許請求の範囲】
【請求項１】
耐熱性と柔軟性を併せ持つ材料のパイプ等を薬缶Aの肩の部分に乗せやすいようにするためドーナッツ状にした形状で、ドーナッツ状の内部は空洞になっており、その空洞に対し水の注水口２を介し冷却水Bを供給する構造ならびに、その空洞から薬缶の側壁に対し冷却水Bを散水するための複数の吐出口３が設けられている煮沸抽出後のお茶冷却器。
【請求項２】
請求項１に記載の煮沸抽出後のお茶冷却器の冷却水入口２は水道の蛇口から滴らされる冷却水Bを直接受けられるように上向きに取り付けられている煮沸抽出後のお茶冷却器。
【請求項３】
請求項１に記載の煮沸抽出後のお茶冷却器のドーナッツ状の部分は薬缶のサイズ、形状の違いに対応するため、吐出口散水角度変更兼直径変更継手４部分にてドーナッツ状部分の一部を切断することにより直径が変えられる煮沸抽出後のお茶冷却器。
【請求項４】
請求項１に記載の煮沸抽出後のお茶冷却器の吐出口部分が薬缶に密着して冷却水が閉鎖されることがない又は効率よく薬缶Aの側壁に冷却水Bが吐出されるように、吐出口散水角度変更兼直径変更継手４部分にて冷却水Bの吐出方向を変えられる煮沸抽出後のお茶冷却器。
【請求項５】
請求項１に記載の煮沸抽出後のお茶冷却器の吐出口部分が薬缶に密着して冷却水が閉鎖されることがないようにドーナッツ状部分が蛇腹形状の構造または、吐出口の近隣に突起を設け薬缶と密着するのを防ぐ煮沸抽出後のお茶冷却器。
【請求項６】
請求項１に記載の煮沸抽出後のお茶冷却器のドーナッツ状部分は、薬缶Aの注ぎ口が干渉してうまく薬缶Aの肩部分に乗せられない場合のため先端を閉塞した馬蹄形の煮沸抽出後のお茶冷却器。
【発明の詳細な説明】
【技術分野】
【０００１】
この発明は煮沸抽出後高温状態にある麦茶等お茶の冷却器に関するものである。さらに詳しくは、この発明はお茶等を煮沸抽出したあと、冷蔵庫等で冷却するにあたり、高温状態のお茶から効率よく粗熱をとるためのものである。
【背景技術】
【０００２】
家庭や職場でお茶を煮沸抽出する際、薬缶等で麦茶等を煮沸抽出した後素早く粗熱をとり常温近くまでお茶の温度を下げたい場合、多くは当該の薬缶に対し水道水を直接かけ流すまたは、水の張られた桶に浸漬したのち、薬缶または桶に水道水をかけ流す方法がとられている。桶の水をかけ流す場合、桶の水位より薬缶内の麦茶の水位のほうが高くなりがちで、薬缶内の冷却に向けての対流がおきにくく冷却効率が悪い。それに対応するため、水道水を薬缶の側壁に直接滴らすことを併用するやり方もある。その場合でも滴らすのは一点に対してであり、効果は限定的であった。
【０００３】
いずれの方法にしても長い冷却時間と多くの水道水を消費することになっていた。
【先行技術文献】
【特許文献】
【０００４】
【特許文献１】特開２００６−３２９６０７号公報
【特許文献２】特開２００５−２１１５６１号公報
【特許文献３】特開平９−１２２０１６号公報
【特許文献４】実開平６−２０７４号公報
【発明の概要】
【発明が解決しようとする課題】
【０００５】
特許文献１に関しては、専用小型冷蔵庫であり、特許文献２に関しては専用ケトルである。また特許文献3及び４も大掛かりな装置となっている。
問題点としては
（イ）いずれも大掛かりな装置でコストもかかる。
（ロ）使用しない時の収納場所が必要となる。
【課題を解決するための手段】
【０００６】
（１）煮沸抽出し高温状態の薬缶Aの肩の部分に乗せる形状のパイプ等をドーナッツ状に成形したお茶冷却器１を提案する。
（２）お茶冷却器１のドーナッツ状部分はパイプ状になっていて、そのパイプ部分に冷却水Bを取り込むための冷却水入口２と、さらにその冷却水Bを薬缶側壁に滴らすための冷却水吐出口３が複数設けられている。
（３）薬缶Aでお茶等を煮沸抽出したあと高温状態の薬缶Aの肩付近にお茶冷却器１を乗せ、水道水等の冷却水Bを冷却水入口２から注ぎドーナッツ状のパイプ部分を経由して冷却水吐出口３から薬缶側壁に滴らし、滴らされた冷却水Cが薬缶Aの側壁を伝って流れることで直接的に冷却することができる。
（４）お茶冷却器本体１は簡単な構造で且つ軽量であり、必要に応じ普段使用している薬缶Aに乗せて冷却水（水道水）Bを滴らすだけで手軽に冷却できる。また、使用後の収納場所もあまりとらない。
【発明の効果】
【０００７】
お茶冷却器１のドーナッツ状パイプの胴部分に複数設けた冷却水吐出口３から薬缶全体に冷却水Ｃが滴下される構造のため、満遍なく薬缶全体を冷却することができ、効率の良い冷却が可能で、時間と水道水を節約できる。
本発明により、
（１）何かと忙しい朝にその日消費する分のお茶を作ることが多いため、早く冷却できることは価値が大であると考える。
（２）効率よく冷却できるため、垂れ流しにして使用する冷却水Bが少なくてすむ。冷却水Bには多くの場合水道水が使用されるため、夏の渇水対策には有効と思われる。
【図面の簡単な説明】
【０００８】
【図１】お茶冷却器1
【図２】お茶冷却器1の使用例。
【図３】お茶冷却器1の構造を説明した図である。
【図４】馬蹄形お茶冷却器を説明した図である。
【発明を実施するための形態】
【０００９】
以下本発明を実施するための形態について説明する。
耐熱性と柔軟性を併せ持つ材料で薬缶Aの上部に乗せられるようにしたドーナッツ状のパイプの一部に、お茶を冷却するための冷却水入口２と、同じく冷却水吐出口３を複数設ける。冷却水入口２は水道の蛇口から滴らされる冷却水Bを直接受けられるように上向きに取り付けられている。冷却水吐出口３はドーナッツ状のパイプ部分全体に複数設けられていて、冷却水入口２から入った冷却水を薬缶側面に満遍なく散水されるように配置されている。
【００１０】
薬缶Aの大きさは千差万別のため、薬缶Aの大きさに応じ吐出口散水角度変更兼直径変更用継手５部分にてドーナッツ状部分を切断して直径が変えられるようになっている。
薬缶Aの形状も千差万別なため、吐出口散水角度変更兼直径変更用継手５にて冷却水吐出口３の散水方向を変えられるようになっている。また、薬缶Aの注ぎ口の位置や形状によっては、ドーナッツ状の形状ではうまく乗せられない場合もあるため、ドーナッツ状の形状ではなく馬蹄形の形状にしてもよい。馬蹄形の場合両端が不安定なめ、広がり防止部材５にて形状を安定させている。
【符号の説明】
【００１１】
Ａ    薬缶
Ｂ    冷却水（水道水）
Ｃ    滴らされた冷却水
１    麦茶冷却器
２    冷却水入口
３    冷却水吐出口
４    吐出口散水角度変更兼直径変更用継手
５    広がり防止部材
【図１】
2014210068.tif 000003
【図２】
2014210068.tif 000004
【図３】
2014210068.tif 000005
【図４】
2014210068.tif 000006